(57)【要約】【課題】画像サーバが通常の運用中においてもＤＢ１からＤＢ２へデータを移行することが可能な医療画像情報管理システムを実現する。【解決手段】撮像装置で得られた画像データの管理情報を格納するデータベース部を有する画像サーバと、前記ネットワークに接続されると共に前記画像サーバに管理され、前記画像データを格納するストレージ部と、前記ネットワークに接続され、前記ストレージ部に格納された画像データの画像を表示する画像ビューアを備えた医療画像情報管理システムにおいて、  前記画像サーバを新画像サーバに交換するに際しては、前記コンピュータ・ネットワークに前記新画像サーバ及び移行ツールを接続し、この移行ツールの命令に従って前記画像サーバに管理されたデータを新画像サーバのデータベースに移行する。【選択図】図１
2008023009.tif 000002
【特許請求の範囲】
【請求項１】
コンピュータ・ネットワークに接続された複数の撮像装置と、前記ネットワークに接続され、前記撮像装置で得られた画像データの管理情報を格納するデータベース部を有する画像サーバと、前記画像サーバに管理され、前記画像データを格納するストレージ部と、前記ネットワークに接続され、前記ストレージ部に格納された画像データの画像を表示する画像ビューアを備えた医療画像情報管理システムにおいて、
前記画像サーバを新画像サーバに交換するに際しては、前記コンピュータ・ネットワークに前記新画像サーバ及び移行ツールを接続し、この移行ツールの命令に従って前記画像サーバに管理されたデータを新画像サーバのデータベースに移行することを特徴とする医療画像情報管理システム。
【請求項２】
前記撮像装置は、ＣＴ装置、ＭＲ装置、レントゲン装置を含む医療画像を撮影する装置であることを特徴とする請求項１記載の医療画像情報管理システム。
【請求項３】
前記画像サーバの機能は、ＤＩＣＯＭ規格をサポートすることを特徴とする請求項１記載の医療画像情報管理システム。
【発明の詳細な説明】
【技術分野】
【０００１】
本発明は、種々の撮像装置より得られた患者の医療画像情報を管理する医療画像情報管理システムに関し、画像サーバを交換するに際して好適な医療画像情報管理システムに関するものである。
【背景技術】
【０００２】
医療画像分野にあっては、従来、図４に示すような医療画像情報管理システムが知られている。
【０００３】
図４の例では、コンピュータ・ネットワークＮに、撮像装置であるＣＴ装置１、ＭＲ装置２、レントゲン装置３等が接続され、これらの撮像装置１，２，３で取得された患者の画像データ等は画像サーバＳ１およびストレージＳＴＳに格納される。そして、必要に応じて医師等は、画像ビューア４で所望の画像を呼び出す。
【０００４】
詳しくは、ＣＴ装置１、ＭＲ装置２、レントゲン装置３等で撮像した画像データは、コンピュータ・ネットワークＮを介して画像サーバＳ１へ送信される。画像サーバＳ１はＤＩＣＯＭ規格（Ｄｉｇｉｔａｌ  Ｉｍａｇｉｎｇ  Ｃｏｍｍｕｎｉｃａｔｉｏｎｓ  ｉｎ  Ｍｅｄｉｃｉｎｅ：医用ディジタル画像と通信に関する標準規格）を備えており、患者情報、フォルダ情報等はデータベース部ＤＢ１に格納され、画像データそのものはストレージ部ＳＴＳに格納される。
【０００５】
このような従来の医療画像情報管理システムは、例えば、下記の特許文献等に開示されている。
【０００６】
【特許文献１】特開２０００−３１６８１６号公報
【０００７】
ところで、上述の構成の医療画像情報管理システムにおいて、画像サーバＳ１のデータベースの容量が満杯に近くなったり画像サーバそのものが古くなったりして画像サーバを交換することが必要となる。
【０００８】
なお、以降では交換が必要なサーバを旧画像サーバＳ１といい、新しいサーバを新画像サーバＳ２という。
画像サーバの交換に先立って新画像サーバをコンピュータ・ネットワークＮに接続する。
図４はコンピュータ・ネットワークＮに新データベースＤＢ２を有する新画像サーバＳ２を接続した状態を示している。
以下、データ移行作業の手順について説明する。
【０００９】
１．作業者はデータ移行のため、旧画像サーバＳ１の記憶媒体挿入口（図示省略）に外部記憶媒体（図示省略）を挿入する。
２．作業者はバックアップ取得のため、旧画像サーバＳ１の運用を停止し、旧画像サーバＳ１に対して旧データベースＤＢ１のバックアップを取得する命令を入力する。
【００１０】
３．旧画像サーバＳ１は接続する旧データベースＤＢ１から、外部記憶媒体ＴＰにＤＢ１のバックアップを取る。
４．外部記憶媒体ＴＰに旧データベースＤＢ１に格納された全てのバックアップが保存される。
５．作業者は外部記憶媒体ＴＰに保存が完了した後、旧画像サーバＳ１に対して運用を開始する命令を入力する。
【００１１】
６．作業者は、新画像サーバＳ２の記憶媒体挿入口（図示省略）にバックアップを取得した外部記憶媒体ＴＰを挿入する。
７．作業者は、新画像サーバＳ２を介して新データベースＤＢ２に外部記憶媒体ＴＰ内のバックアップを復元する命令を入力する。
【００１２】
８．新データベースＤＢ２に、外部記憶媒体ＴＰ内全てのバックアップが復元する。
９．作業者は、あるタイミングで、旧画像サーバＳ１から新画像サーバＳ２に、運用を切り替える。
これにより画像ビューア４は、新画像サーバＳ２から従来のデータを取得し、画像を表示することができる。
【発明の開示】
【発明が解決しようとする課題】
【００１３】
しかしながら、上述の医療画像情報管理システムにおいては、データ移送時に下記のような問題があった。
１．作業者が一度、旧画像サーバの運用を停止し、外部磁気媒体に旧データベースのバックアップを全て保存するまで、サーバの運用ができない（画像ビューアからデータが取得できない）。
【００１４】
そのため、新画像サーバで運用を開始するまで、バックアップを取得中、通常の業務を中断しなければならない。
２．バックアップは磁気テープによりおこなわれるが、データ量多いほど、運用中断時間がかかってしまう。
【００１５】
３．作業者は移行データのバックアップを取得し、新画像サーバに移行を完了するまで、当該作業に専念する必要があるため、移行データ量が多いほど、作業工数がかかってしまう。
【００１６】
従って本発明の目的は、画像サーバが通常の運用中においてもＤＢ１からＤＢ２へデータを移行することを可能とする。
【課題を解決するための手段】
【００１７】
上記した課題を解決した本発明は、次の通りである。
（１）コンピュータ・ネットワークに接続された複数の撮像装置と、前記ネットワークに接続され、前記撮像装置で得られた画像データの管理情報を格納するデータベース部を有する画像サーバと、前記画像サーバに管理され、前記画像データを格納するストレージ部と、前記ネットワークに接続され、前記ストレージ部に格納された画像データの画像を表示する画像ビューアを備えた医療画像情報管理システムにおいて、
前記画像サーバを新画像サーバに交換するに際しては、前記コンピュータ・ネットワークに前記新画像サーバ及び移行ツールを接続し、この移行ツールの命令に従って前記画像サーバに管理されたデータを新画像サーバのデータベースに移行することを特徴とする医療画像情報管理システム。
【００１８】
（２）前記撮像装置は、ＣＴ装置、ＭＲ装置、レントゲン装置を含む医療画像を撮影する装置であることを特徴とする請求項１記載の医療画像情報管理システム。
【００１９】
（３）前記画像サーバの機能は、ＤＩＣＯＭ規格をサポートすることを特徴とする請求項１記載の医療画像情報管理システム。
【発明の効果】
【００２０】
以上説明したことから明らかなように、本発明によれば次のような効果がある。
画像サーバを新画像サーバに交換するに際し、コンピュータ・ネットワークに新画像サーバ及び移行ツールを接続し、この移行ツールの命令に従って画像サーバに管理されたデータを新画像サーバのデータベースに移行する。このことにより、作業者の負担と作業工数を削減し、移行データ量の多さに依存せず、一定の作業で移行作業を可能とした医療画像情報管理システムを提供することができる。
【発明を実施するための最良の形態】
【００２１】
図１は本発明の医療画像情報管理システムの一実施例の要部ブロック図である。
尚この図で、図２に表した従来のブロック図と符号が同じものはその機能は同じであるので詳しい説明は省略する。
【００２２】
本発明システムの特徴は、画像ビューア４を介してネットワークＮに移行ツールＴを接続した点にある。
即ち、この移行ツールＴを用いて旧データベースＳ１から新データベースＳ２にデータを移行させる。なお、この移行ツールＴは画像ビューア４に内蔵してもよくネットワークＮに接続する場所であればよい。
【００２３】
尚、この図１の本発明システムにおいて、ＣＴ装置１、ＭＲ装置２、レントゲン装置３、画像ビューワ４、画像サーバＳ１，Ｓ２、データベース部ＤＢ１、ストレージ部ＳＴはそれぞれ、Ａ病院、Ｂ医療センター、Ｃ大学等というように、別の機関、または同じ病院でも異なる場所の建屋等に設置されるコンピュータ・システムであってよく通信ネットワークにより接続されていれば設置場所は問わない。
【００２４】
このような構成の本発明システムの動作を次に説明する。
１．画像サーバＳ１の交換に先立って、新画像サーバＳ２及びこの新画像サーバを介してコンピュータ・ネットワークＮに接続する移行ツールＴを設ける。この時点においては、画像ビューア４は旧画像サーバＳ１経由で旧データベースＤＢ１にアクセスし、検索内容からストレージＳＴＳより、所望の画像データを取得している。
この時、まだ新データベースＤＢ２にはデータが無い。
【００２５】
２．次に、図２に示すように移行ツールＴはデータ移行命令を発する。この移行命令は、新画像サーバＳ２→ネットワークＮ→旧画像サーバＳ１を介して矢印イで示すように旧データベースＤＢ１に伝えられる。その結果、新画像サーバＳ２はデータの一部を新データベースＤＢ２にコピーする。コピーは矢印イ→ロ→ハで示すように旧画像サーバＳ１→ネットワークＮ→新画像サーバＳ２を介して行われる。
【００２６】
移行ツールＴからの移行命令は通常業務に差し支えのない時間帯（例えば深夜）に複数回に分けて行われる。
即ち、画像ビューア４は図１に示す動作を行っており画像を取得可能である。
【００２７】
３．移行ツールＴは全てのデータベースの移行を終了した後、画像サーバＳ１、Ｓ２に対し、作業が完了した旨を通知する。
【００２８】
４．作業者は、移行ツールＴからの完了通知を見て、あるタイミングで図３に示すようにストレージＳＴＳを旧画像サーバＳ１から新画像サーバＳ２へつなぎ替え、旧データベースＤＢ１から新データベースＤＢ２へ運用を変更する。
以上の動作により、画像ビューア４は新画像サーバＳ２経由で新データベースＤＢ２にアクセスし、図１に示す動作と同様に、ストレージＳＴＳより、所望の画像データを取得することが可能となる。
【００２９】
本発明の移行ツールＴを用いれば、画像ビューア４から画像データを取得する際、データの移行作業を行っている際にも、タイムシェアリングにより通常の運用が可能となる。また、作業者はデータ移行のための作業時間を、従来の移行作業に比べ、大幅に削減することが可能となる。
【００３０】
なお、本実施例では一つの画像ビューアに対して新旧一つずつの画像サーバを示したが、より大規模なネットワークに適用し、多くのが画像ビューアと画像サーバを有するような場合においても、このような移行ツールＴを用いてスケジューリング運用することにより、同時に複数のデータベースの移行作業を進めることが可能となる。
そして、負荷の少ない夜間帯にスケジューリングすることで、従来以上に通信トラフィックの有効活用を図ることが可能となる。
また、医療画像分野に限らず、２４時間３６５日運用に近い分野の応用も可能となる。
【００３１】
以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【図面の簡単な説明】
【００３２】
【図１】本発明の医療画像情報管理システムを表わす構成ブロック図である。
【図２】本発明の医療画像情報管理システムにおけるデータベースのデータの流れを示す図である。
【図３】本発明の医療画像情報管理システムにおけるデータベースのデータの流れを示す図である。
【図４】従来の医療画像情報管理システムを表わす構成ブロック図である。
【符号の説明】
【００３３】
１  ＣＴ装置
２  ＭＲ装置
３  レントゲン装置
４  画像ビューア
Ｓ１，Ｓ２  画像サーバ
ＤＢ１，ＤＢ２  データベース部
ＳＴＳ  ストレージ部
Ｎ  コンピュータ・ネットワーク
Ｔ  移送ツール
【図１】
2008023009.tif 000003
【図２】
2008023009.tif 000004
【図３】
2008023009.tif 000005
【図４】
2008023009.tif 000006